(57)【要約】      （修正有）【課題】携帯装置のディスプレイがオフの状態でも、所定の表示機能をディスプレイに持たせることができる保護シートを提供する。【解決手段】携帯装置のディスプレイ１１に取り付けられる保護シート２１であって、透明あるいは半透明の保護シート本体と、保護シート本体のディスプレイ１１に貼り付けられる裏面に塗料によって所定のパターンで形成された塗料パターン３５と、保護シート本体の裏面に形成された接着層と、を有し、ディスプレイ１１がオンでは当該ディスプレイ１１は黒色以外の色を表示し、オフでは当該ディスプレイ１１は黒色であり、接着層がディスプレイ１１に接着された状態で、ディスプレイ１１がオンで塗料パターン３５が略視認されず、オフで塗料パターン３５が視認されるように形成されている。【選択図】図２
0003220755.tif 000002
【実用新案登録請求の範囲】
【請求項１】
携帯装置のディスプレイに取り付けられる保護シートであって、
透明あるいは半透明の保護シート本体と、
前記保護シート本体の前記ディスプレイに貼り付けられる裏面に塗料によって所定のパターンで形成された塗料パターンと、
前記保護シート本体の前記裏面に形成された接着層と、
を有し、
前記接着層が前記ディスプレイに接着された状態で、前記ディスプレイがオンで前記塗料パターンが略視認されず、前記ディスプレイがオフで前記塗料パターンが視認されるように前記塗料パターンが形成されている
保護シート。
【請求項２】
前記ディスプレイがオンでは当該ディスプレイは黒色以外の色を表示し、オフでは当該ディスプレイは黒色である
請求項１に記載の保護シート。
【請求項３】
前記保護シート本体は、ガラス製である
請求項１又は請求項２に記載の保護シート。
【考案の詳細な説明】
【技術分野】
【０００１】
本考案は、スマートフォン等の携帯機器のディスプレイに貼り付けられる保護シートに関する。
【背景技術】
【０００２】
スマートフォンこれらの携帯端末には、いわゆるタッチパネルである表示と入力操作のためのディスプレイが設けられている。
このようなディスプレイには保護シートが貼り付けられることが多い。
【考案の開示】
【考案が解決しようとする課題】
【０００３】
ところで、携帯端末のディスプレイは、通常、オンの状態では画面が表示されており、オフの状態では黒色になっている。
【０００４】
携帯端末のディスプレイに多様な機能を持たせたいという要請がある。
【０００５】
本考案は、携帯装置のディスプレイがオフの状態でも、所定の表示機能をディスプレイに持たせることができる保護シートを提供することを目的とする。
【課題を解決するための手段】
【０００６】
上述した従来技術の問題点を解決し、上述した目的を達成するため、本考案の保護シートは、携帯装置のディスプレイに取り付けられる保護シートであって、透明あるいは半透明の保護シート本体と、前記保護シート本体の前記ディスプレイに貼り付けられる裏面に塗料によって所定のパターンで形成された塗料パターンと、前記保護シート本体の前記裏面に形成された接着層と、を有し、前記接着層が前記ディスプレイに接着された状態で、前記ディスプレイがオンで前記塗料パターンが略視認されず、前記ディスプレイがオフで前記塗料パターンが視認されるように前記塗料パターンが形成されている。
【０００７】
好適には、前記ディスプレイがオンでは当該ディスプレイは黒色以外の色を表示し、オフでは当該ディ
スプレイは黒色である。
【０００８】
好適には、前記保護シート本体は、ガラス製である。
【考案の効果】
【０００９】
本考案によれば、携帯装置のディスプレイがオフの状態でも、所定の表示機能をディスプレイに持たせることができる保護シートを提供することができる。
【図面の簡単な説明】
【００１０】
【図１】図１は、本考案の実施形態に係る保護シートが、ディスプレイに貼り付けられたスマートフォンの正面図り、ディスプレイがオン状態を示す。
【図２】図２は、本考案の実施形態に係る保護シート１が、ディスプレイに貼り付けられたスマートフォンの正面図り、ディスプレイがオン状態を示す。
【図３】図３は、図１に示すディスプレイに貼り付けられた保護シートの部分断面図である。
【考案を実施するための最良の形態】
【００１１】
以下、本考案の実施形態に係る保護シートを、図面を参照しながら説明する。
図１及び図２は、本考案の実施形態に係る保護シート２１が、ディスプレイ１１に貼り付けられたスマートフォン１の正面図である。
図１はディスプレイ１１がオン状態の場合、図２はディスプレイ１１がオフ状態の場合である。
【００１２】
図３は、図１に示すディスプレイ１１に貼り付けられた保護シート２１の部分断面図である。
図３に示すように、保護シート２１は、略透明の保護シート本体３１、保護シート本体３１の裏面に形成された接着層３３とを有する。
保護シート２１の貼り付け前（販売時）は、接着層３３に剥離シートが貼り付けられている。
【００１３】
保護シート本体３１のディスプレイ１１に貼り付けられる裏面に塗料によって所定のパターンの塗料パターン３５が形成されている。塗料パターン３５は、例えば、キャラクター等のパターンである。
また、保護シート２１は、透明あるいは半透明のガラス製である。
【００１４】
保護シート本体３１は、衝撃や傷からディスプレイ１１を保護するために特別に処理されたガラスで作られている。指先での操作性が向上し、超薄型ながらもラウンドエッジ加工によりひっかかりも少なく欠け防止にも優れている。
【００１５】
スマートフォン１は、ディスプレイ１１がオンではディスプレイ１１は黒色以外の色を表示し、オフではディスプレイ１１は黒色である。
【００１６】
本実施形態の保護シート２１は、接着層３３がディスプレイ１１に接着された状態で、図１に示すようにディスプレイ１１がオンで塗料パターン３５が略視認されない。一方、図２に示すように、ディスプレイ１１がオフで塗料パターン３５が視認される。
【００１７】
以上説明したように、保護シート２１によれば、図２に示すように、ディスプレイ１１がオフで塗料パターン３５が視認される。これにより、ディスプレイ１１がオフのときにもディスプレイ１１に所定のパターンを表示でき、デザイン性に優れている。
また、保護シート２１によれば、ディスプレイ１１がオンの状態では、塗料パターン３５は視認されないので、ディスプレイ１１の表示画面が妨げられることはない。
【００１８】
また、保護シート２１によれば、保護シート本体３１の操作面と反対側の裏面に塗料パターン３５が形成されているので、保護シート本体３１の表面を操作のために指等で触った際に違和感はない。
【００１９】
本考案は上述した実施形態には限定されない。
すなわち、当業者は、本考案の技術的範囲またはその均等の範囲内において、上述した実施形態の構成要素に関し、様々な変更、コンビネーション、サブコンビネーション、並びに代替を行ってもよい。
塗料パターン３５によって描かれるパターンは、任意であり、図２に示すパターンには限定されない
【００２０】
また、上述した実施形態では、保護シート本体３１がガラス製の場合を例示したが、ある程度の耐久性があり、透明あるいは半透明であればガラス以外でもよい。
【産業上の利用可能性】
【００２１】
本考案は、例えば、スマートフォン等のディスプレイに貼り付ける保護シートに適用可能である。
【符号の説明】
【００２２】
１…スマートフォン
１１…ディスプレイ
２１…保護シート
３１…保護シート本体
３５…塗料パターン
３３…接着層
【図１】
0003220755.tif 000003
【図２】
0003220755.tif 000004
【図３】
0003220755.tif 000005
【手続補正書】
【提出日】平成31年1月25日(2019.1.25)
【手続補正１】
【補正対象書類名】実用新案登録請求の範囲
【補正対象項目名】全文
【補正方法】変更
【補正の内容】
【実用新案登録請求の範囲】
【請求項１】
携帯装置のディスプレイに取り付けられる保護シートであって、
透明あるいは半透明の保護シート本体と、
前記保護シート本体の前記ディスプレイに貼り付けられる裏面に塗料によって所定のパターンで形成された塗料パターンと、
前記保護シート本体の前記裏面に形成された接着層と、
を有し、
前記ディスプレイがオンでは当該ディスプレイは黒色以外の色を表示し、オフでは当該ディスプレイは黒色であり、
前記接着層が前記ディスプレイに接着された状態で、前記ディスプレイがオンで前記塗料パターンが略視認されず、前記ディスプレイがオフで前記塗料パターンが視認されるように前記塗料パターンが形成されている
保護シート。
【請求項２】
前記保護シート本体は、ガラス製である
請求項１に記載の保護シート。
【手続補正２】
【補正対象書類名】明細書
【補正対象項目名】０００６
【補正方法】変更
【補正の内容】
【０００６】
上述した従来技術の問題点を解決し、上述した目的を達成するために、本考案の保護シートは、携帯装置のディスプレイに取り付けられる保護シートであって、透明あるいは半透明の保護シート本体と、前記保護シート本体の前記ディスプレイに貼り付けられる裏面に塗料によって所定のパターンで形成された塗料パターンと、前記保護シート本体の前記裏面に形成された接着層と、を有し、前記ディスプレイがオンでは当該ディスプレイは黒色以外の色を表示し、オフでは当該ディスプレイは黒色であり、前記接着層が前記ディスプレイに接着された状態で、前記ディスプレイがオンで前記塗料パターンが略視認されず、前記ディスプレイがオフで前記塗料パターンが視認されるように前記塗料パターンが形成されている。
【手続補正３】
【補正対象書類名】明細書
【補正対象項目名】０００７
【補正方法】削除
【補正の内容】